(57)【要約】      （修正有）【課題】実用、安全性を有するパソコン用デスクの多段式昇降装置を提供する。【解決手段】スライド部と固定部から構成され、スライド部がパソコンデスクの天板下端の両側に枢支され、固定部がプラスチック材料により一体形成されるプレートであり、スライド部の２段式のボタンを操作すると、外へ付勢してスライドさせ、調整レバーをコントロールし上下に移動させることができ、スライド部はカバー体と結合し断面がフレーム体となるリング体により、スライド部と固定部の挿入孔を伸縮移動させることで最良の密着性を持たせることができ、スライド部の表面には調整レバーの端が連接された止め部の係合位置により、天板と地面の高さを表示させる数字桁を設け、スライド部の頂部には一体に折縁が折り曲げられ、天板にぐらつかないように直接か間接的に連接する。  【選択図】図１
0003116668.tif 000002
【実用新案登録請求の範囲】
【請求項１】
パソコン用デスクの多段式昇降装置は上記昇降装置がスライド部と固定部から構成されるものであって
スライド部がパソコンデスクの天板下端の両側に枢支され、固定部がプラスチック材料により一体形成されるプレートであり、上記固定部はスライド部がパソコンデスク支持部に設置される最良箇所に固着され、スライド部の２段式のボタンを操作すると、外へ付勢してスライドさせ、調整レバーをコントロールし上下に移動させることができ、その中の、スライド部はカバー体と結合し断面がフレーム体となるリング体により、スライド部と固定部の挿入孔を伸縮移動させることで最良の密着性を持たせることができ、かつ、スライド部の表面には調整レバーの端が連接された止め部の係合位置により、天板と地面の高さを表示させる数字桁を設け、また、上記スライド部の頂部には一体に折縁が折り曲げられ、天板にぐらつかないように直接か間接的に連接されることが可能であることを特徴とするパソコン用デスクの多段式昇降装置。
【請求項２】
前記固定部のプレートは、板の挿入孔方向に沿って複数組の対称の引導板が設置され、スライド部を伸縮移動させ、かつ、固定部の上には縦長の長方形の孔が設けられ、上記縦孔の上にはほぼ等間隔で片側に配列され、スライド部に、係合レバーの止め具を移動させることにより、係合させる止め口をかませることを特徴とする請求項1に記載するパソコン用デスクの多段式昇降装置。
【請求項３】
前記固定部のプレートの縦の孔の片側に設置される止め口は、少なくとも１０個か１０個以上であり、かつ、止め口の間隔はほぼ２０mmであり、これにより上記天板が高さ、多段式の天板高さ調整効果を有することを特徴とする請求項1に記載するパソコン用デスクの多段式昇降装置。
【請求項４】
前記天板の高さは地面からほぼ５００mm−７２０mmの間に設置され、パソコンデスクの天板の高さを広い範囲で調整できる効果を有することを特徴とする請求項1に記載するパソコン用デスクの多段式昇降装置。
【考案の詳細な説明】
【技術分野】
【０００１】
本考案はパソコン用デスクの多段式昇降装置に関し、パソコンデスク関連の技術分野に属する。
【背景技術】
【０００２】
従来のパソコンデスクの天板が高度の調整が可能である様式と種類に従って２種類に分けられる。
１．天板下方の両側の軸に固着された軸をそれぞれ底が上向きに広がっているパイプに差し込むことを利用する嵌め込み式は、軸とパイプの横方向に少なくとも一組の通孔を設けることにより、ピン（またはボルト）を最適な高さに選定した対称の通孔に貫通させ、天板の高さを固定する、この方法には欠点があり、天板の両側の軸とパイプがピン（またはボルト）により横向きに貫通されており、天板の高さを調整する際、まず天板の片側のピン（またはボルト）を引き抜かなければならず、軸を最適な高さに調整した後、再びピン（またはボルト）を差し込み、また同様の順序に従ってパソコンデスクの天板のもう片側の軸とピン（またはボルト）を固定させる。操作方式は2人いなければならないので、極めて不便である、さらにピン或いはボルトを貫通させる際常に注意をしなければならない、上記ピン或いはボルトの端にボルトが緩むのを防ぐ輪を取り付けたり、ボルトが緩んだり抜けないようにナットで締める。さもないと、容易にピン或いはボルトが脱落し天板が急に落下したり、落下現象が天板上の物（パソコンや周辺設備などを含む）の脱落などの危険な事態を引き起こす。
【０００３】
２．天板両側の軸とパイプの組み合わせ位置はただ一つの気圧式制御棒によって両側の軸の昇降操作をさせる、この方法には欠点があり、気圧棒によって両側の軸の高さを調整すると、上昇させる際、両側の伸縮性が不均衡なため容易に天板を歪ませ、降下させる際、天板に軸を下降させる圧力を加えなければならず、操作上の困難と不便をもたらすだけで、その上、天板に長時間圧力をかけ続けると、軸のわずかな下降が天板の水平度にずれを生じさせる。
【考案の開示】
【考案が解決しようとする課題】
【０００４】
パソコンデスクの天板が広い範囲の昇降幅、多段式の調整可能を有することと共に、天板に安全ボタンを設け、実用、安全性を有するパソコン用デスクの多段式昇降装置を提供するものである。
【課題を解決するための手段】
【０００５】
本考案の主な目的はパソコン用デスクの多段式昇降装置を提供するものであり、上記昇降装置がスライド部と固定部から構成されるものであって
スライド部がパソコンデスクの天板下端の２箇所に枢支され、上記固定部はスライド部がパソコンデスク支持部に設置される最良箇所に固着され、スライド部の２段式のボタンを操作すると、外へ付勢してスライドさせ、調整レバーをコントロールし上下に移動させることができ、その中の、スライド部はカバー体と結合し断面がフレーム体となるリング体により、スライド部と固定部の挿入孔を伸縮移動させることで最良の密着性を持たせることができ、かつ、スライド部の表面には調整レバーの端が連接された止め部の係合位置により、天板と地面の高さを表示させる目盛りを設け、また、上記スライド部の頂部には一体に折縁が折り曲げられ、天板にぐらつかないように直接か間接的に連接されることが可能である。
【０００６】
本考案の第二の目的はパソコン用デスクの多段式昇降装置を提供するものであり、上記昇降装置の固定部がプラスチック材料により一体形成されるプレートであり、固定部のプレートは板の挿入箇所方向に沿って複数組の対称の引導板が設置され、スライド部を伸縮移動させ、かつ、固定部の上には縦長の長方形の孔が設けられ、上記縦孔の上にはほぼ等間隔で片側に配列され、スライド部に、係合レバーの止め具を移動させることにより、係合させる止め口をかませることができる。
【０００７】
本考案の別の目的はパソコン用デスクの多段式昇降装置を提供するものであり、固定部のプレートの縦の孔の片側に設置される止め口は少なくとも１０個か１０個以上であり、かつ、止め口の間隔はほぼ２０mmであり、これにより上記天板が高さ、多段式の天板高さ調整効果を有する、また人の成長過程で身長に合わせて机を調節する以外に、本考案の天板の高さは地面からほぼ５００mm−７２０mmの間に設置され、パソコンデスクの天板の高さを和室で使用できる低さ（天板の高さは５０cm）や地面から７２cmの高さに調整して使用することが可能である。
【０００８】
補充と強調をするため、本考案が使用上有するメリットと特性を以下に列挙する。
１．       
本考案の金属製スライド部はプラスチック材料により形成される固定部の挿入孔間を移動し、ほとんど音を出さないで伸縮移動し、明らかに金属製スライド部と金属製固定部を用いて伸縮移動させる際、必然的に金属の削られた痕と摩擦音を生じる場合よりも優れている、さらにその内部構造はギアとラックを組み合わせることで位置を合わせる必要があるので、ギアとラックの間で嵌め込む際の音が生じ、明らかに完全な構造とはいえない。
２．       
本考案のスライド部が２段式のボタンの設計に係り、ボタン使用する際、第一ステップはまず外へ付勢してスライドさせた後、調整レバーをコントロールし上下に移動させる第2ステップを行うことができる、直接ボタンを第2ステップに移行させると、調整レバーは作動しない、つまり、上記ボタンは直接応力によりスライド部の移動や、脱落の懸念を取り除くことを有し、安全性が高くなる。
【実施例】
【０００９】
本考案の図に示すように、パソコン用デスクの多段式昇降装置は上記パソコンデスク１の昇降装置が主にスライド部と固定部から構成されるものであって、スライド部１１はパソコンデスク１の天板１３下方の両側にそれぞれ枢支され、固定部１２はスライド部１１がパソコンデスク支持部１４に設置される最良箇所に固着され、スライド部１１の２段式のボタン１１１を操作すると、外へ付勢してスライドさせ、調整レバー１１２をコントロールし上下に移動させることができ、スライド部１１はカバー体１１３と結合し断面がフレーム体となるリング体により、スライド部１１と固定部１２の挿入孔１２１を伸縮移動させることで最良の密着性を持たせることができ、指を挟んでけがをすることはない、且つスライド部１１表面には調整レバー１１２の端が連接された止め部１５の止め具１５１の係合位置により、天板１３と地面の高さを表示させる目盛り１１４を設け、上記スライド部１１の頂部には一体に折縁１１５が折り曲げられ、天板１３にぐらつかないように直接か間接的に連接されることが可能である、又止め部１５は軸孔１５２により、スライド部１１の突き出し部１１６で中心軸となり、止め部１５のスペーシングを可能にさせる。
【００１０】
固定部１２がプラスチック材料により一体形成されるプレートであり、板の挿入孔１２１方向に沿って複数組の対称の導板１２２が設置され、スライド部１１を伸縮移動させ、かつ、固定部１２の上には縦長の長方形の孔１２３が設けられ、上記縦孔の上にはほぼ等間隔で片側に配列され、スライド部に、係合レバー１１２の止め具１５１を移動させることにより、係合させる止め口１２４をかませることができる。
【００１１】
また、固定部１２のプレートの縦の孔１２３の片側に設置される止め口１２４は少なくとも１０個以上であり、かつ、止め口１２４の間隔はほぼ２０mmであり、これにより上記天板１３が高さ、多段式の天板高さ調整効果を有する、
また人の成長過程で身長に合わせて天板１３の高さを調節する以外に、本考案の天板１３の高さは地面からほぼ５００mm−７２０mmの間に設置され、パソコンデスクの天板１３の高さを和室で使用できる低さ（天板の高さは５０cm）や地面から７２cmの高さに調整して使用することが可能である。
【図面の簡単な説明】
【００１２】
【図１】本考案に係る使用様態の傾斜を示す概念図。
【図２】本考案に係るスライド部を示す傾斜図。
【図３】図２の裏面から見た図。
【図４】図２の表面から見た断面図。
【図５】図２から見た正面図。
【図６】図２の上面から見た概念図。
【図７】本考案に係る固定部を示す傾斜図。
【図８】図７の断面から見た図。
【図９】図７の裏面から見た図。
【図１０】図７の上面から見た図。
【符号の説明】
【００１３】
１        パソコンデスク
１１      スライド
１１１    ボタン
１１２    調整レバー
１１３    カバー体
１１４    目盛り
１１６    突き出し部
１２      固定部
１２１    挿入孔
１２２    導板
１２３    孔
１２４    止め口
１３      天板
１４      パソコンデスク支持部
１５      止め部
１５１    止め具
１５２    軸孔
【図１】
0003116668.tif 000003
【図２】
0003116668.tif 000004
【図３】
0003116668.tif 000005
【図４】
0003116668.tif 000006
【図５】
0003116668.tif 000007
【図６】
0003116668.tif 000008
【図７】
0003116668.tif 000009
【図８】
0003116668.tif 000010
【図９】
0003116668.tif 000011
【図１０】
0003116668.tif 000012